(57)【要約】【課題】凝集剤の注入率が適切に設定されるように支援することができる凝集剤注入率設定支援システム、凝集剤注入率設定支援方法、凝集剤注入率設定支援装置、および凝集剤注入率設定支援プログラムを提供することである。【解決手段】計測部は、水処理施設に流入する被処理水の状態を計測する。記憶部には、被処理水の状態を含む第１のデータと、前記被処理水に対して凝集剤を注入した後の水の状態を前記凝集剤の注入率毎に計測した結果を示す第２のデータとが、互いに対応付けられた対応データとして記憶される。表示部は、画像を表示する。制御部は、前記記憶部に記憶された対応データから、前記計測部によって計測された被処理水の状態を含む参照データに近似する前記第１のデータを抽出すると共に、前記抽出した第１のデータに対応する前記第２のデータを前記記憶部から読み出し、前記読み出した第２のデータに基づく画像を前記表示部に表示させる。【選択図】図１
2015171678.tif 000002
【特許請求の範囲】
【請求項１】
水処理施設に流入する被処理水の状態を計測する計測部と、
被処理水の状態を含む第１のデータと、前記被処理水に対して凝集剤を注入した後の水の状態を前記凝集剤の注入率毎に計測した結果を示す第２のデータとが、互いに対応付けられた対応データとして記憶される記憶部と、
画像を表示する表示部と、
前記記憶部に記憶された対応データから、前記計測部によって計測された被処理水の状態を含む参照データに近似する前記第１のデータを抽出すると共に、前記抽出した第１のデータに対応する前記第２のデータを前記記憶部から読み出し、前記読み出した第２のデータに基づく画像を前記表示部に表示させる制御部と、
を備える凝集剤注入率設定支援システム。
【請求項２】
前記第１のデータには、前記水処理施設における前記凝集剤が注入される箇所よりも水の流れに関して下流側の箇所で計測された処理水の状態であって、前記被処理水の状態が計測された時刻よりも所定時間後に計測された処理水の状態が含まれ、
前記制御部は、前記第２のデータに基づく画像と共に、前記被処理水の状態が計測された時刻よりも所定時間後に計測された処理水の状態に基づく画像を前記表示部に表示させる、
請求項１記載の凝集剤注入率設定支援システム。
【請求項３】
前記制御部は、前記水処理施設における前記被処理水の状態が計測される箇所から前記処理水の状態が計測される箇所までの滞留時間を、前記水処理施設における水の流量に基づいて算出し、前記被処理水の状態が計測された時刻に対応付けて、前記算出した滞留時間分遅らせた測定時刻に対応付けられた前記処理水の状態を前記記憶部に記憶させておき、前記記憶部に記憶させておいた情報に基づいて、前記被処理水の状態が計測された時刻よりも所定時間後に計測された処理水の状態に基づく画像を前記表示部に表示させる、
請求項２記載の凝集剤注入率設定支援システム。
【請求項４】
前記記憶部には、前記凝集剤の注入率が変更される前後における、前記水処理施設における前記凝集剤が注入される箇所よりも水の流れに関して下流側の箇所で計測された処理水の状態の変化を示す第３のデータが前記第１のデータに対応付けられて記憶され、
前記制御部は、前記抽出した第１のデータに対応する前記第３のデータを前記記憶部から読み出し、前記読み出した第３のデータに基づく画像を前記表示部に表示させる、
請求項１から３のうちいずれか１項記載の凝集剤注入率設定支援システム。
【請求項５】
前記第１のデータには、前記水処理施設における前記凝集剤が注入される箇所よりも水の流れに関して下流側の箇所で計測された処理水の状態であって、前記被処理水の状態が計測された時刻よりも所定時間後に計測された処理水の状態が含まれ、
前記制御部は、前記抽出した第１のデータに対応する前記第２のデータと、前記処理水の状態とに基づいて、前記凝集剤の推奨注入率を算出する、
請求項１から４のうちいずれか１項記載の凝集剤注入率設定支援システム。
【請求項６】
前記制御部は、前記抽出した第１のデータに対応する前記第２のデータに含まれる代表値と、前記処理水の状態を示す値との差分を算出し、前記算出した差分だけ前記第２のデータの各値を水質が良好な側にシフトさせ、前記シフトさせたデータと閾値との交点から前記凝集剤の注入率の最大削減幅を算出し、前記算出した最大削減幅に基づいて前記凝集剤の推奨注入率を算出する、
請求項５記載の凝集剤注入率設定支援システム。
【請求項７】
水処理施設に流入する被処理水の状態を計測する計測部と、被処理水の状態を含む第１のデータと、前記被処理水に対して凝集剤を注入した後の水の状態を前記凝集剤の注入率毎に計測した結果を示す第２のデータとを、互いに対応付けられた対応データとして記憶する記憶部と、画像を表示する表示部と、を備える凝集剤注入率設定支援システムの制御部が、
前記記憶部に記憶された対応データから、前記計測部によって計測された被処理水の状態を含む参照データに近似する前記第１のデータを抽出し、
前記抽出した第１のデータに対応する前記第２のデータを前記記憶部から読み出し、
前記読み出した第２のデータに基づく画像を前記表示部に表示させる、
凝集剤注入率設定支援方法。
【請求項８】
水処理施設に流入する被処理水の状態を取得する取得部と、
被処理水の状態を示す第１のデータと、前記被処理水に対して凝集剤を注入した水の状態を前記凝集剤の注入率毎に計測した結果を示す第２のデータとが対応付けられた対応データから、前記取得部によって取得された被処理水の状態に近似する前記第１のデータを抽出すると共に、前記抽出した第１のデータに対応する前記第２のデータを読み出し、前記読み出した第２のデータに基づく画像を表示部に表示させる制御部と、
を備える凝集剤注入率設定支援装置。
【請求項９】
コンピュータに、
水処理施設に流入する被処理水の状態を取得させ、
被処理水の状態を示す第１のデータと、前記被処理水に対して凝集剤を注入した水の状態を前記凝集剤の注入率毎に計測した結果を示す第２のデータとが対応付けられた対応データから、前記取得された被処理水の状態に近似する前記第１のデータを抽出させ、
前記抽出させた第１のデータに対応する前記第２のデータを読み出させ、
前記読み出させた第２のデータに基づく画像を表示部に表示させる処理を行わせる、
凝集剤注入率設定支援プログラム。
【発明の詳細な説明】
【技術分野】
【０００１】
本発明の実施形態は、凝集剤注入率設定支援システム、凝集剤注入率設定支援方法、凝集剤注入率設定支援装置、および凝集剤注入率設定支援プログラムに関する。
【背景技術】
【０００２】
従来、浄水処理や排水処理の分野において、河川等から流入する被処理水中の微細な懸濁物などを凝集沈殿処理によって除去する方法が用いられている。この方法によれば、被処理水を必要に応じてｐＨ調整した上で凝集剤を添加し、攪拌・混合して凝集沈殿させ、沈殿した凝集物を汚泥として分離することによって清澄な処理水を得ることができる。
【０００３】
このような方法を用いる場合、凝集剤の注入率が低すぎると懸濁物が十分に凝集沈殿せず、逆に、凝集剤の注入率が高すぎるとコストの増大を招くだけでなく、凝集剤自体が処理水の濁度として現れるといった弊害が生じ得る。これに対し、凝集剤の注入率を演算等により定めるための技術が開示されているが、従来の技術では、凝集剤の注入率を適切に定めることができない場合があった。
【先行技術文献】
【特許文献】
【０００４】
【特許文献１】特開２００９−０００６７２号公報
【特許文献２】特開２０１１−０６７７７６号公報
【発明の概要】
【発明が解決しようとする課題】
【０００５】
本発明が解決しようとする課題は、凝集剤の注入率が適切に設定されるように支援することができる凝集剤注入率設定支援システム、凝集剤注入率設定支援方法、凝集剤注入率設定支援装置、および凝集剤注入率設定支援プログラムを提供することである。
【課題を解決するための手段】
【０００６】
実施形態の凝集剤注入率設定支援システムは、計測部と、記憶部と、表示部と、制御部とを持つ。計測部は、水処理施設に流入する被処理水の状態を計測する。記憶部には、被処理水の状態を含む第１のデータと、前記被処理水に対して凝集剤を注入した後の水の状態を前記凝集剤の注入率毎に計測した結果を示す第２のデータとが、互いに対応付けられた対応データとして記憶される。表示部は、画像を表示する。制御部は、前記記憶部に記憶された対応データから、前記計測部によって計測された被処理水の状態を含む参照データに近似する前記第１のデータを抽出すると共に、前記抽出した第１のデータに対応する前記第２のデータを前記記憶部から読み出し、前記読み出した第２のデータに基づく画像を前記表示部に表示させる。
【図面の簡単な説明】
【０００７】
【図１】第１実施形態に係る凝集剤注入率設定支援装置１００が適用される水処理施設１の構成の一例を示す図である。
【図２】ジャーテスト設備７０におけるビーカテストにより得られる情報をグラフ化した図である。
【図３】プロセスデータ１１２として記憶されるデータの一例を示す図である。
【図４】ジャーテストデータ１１４として記憶されるデータの一例を示す図である。
【図５】トレンドデータ１１６として記憶されるデータの一例を示す図である。
【図６】ある被処理水に対するジャーテストの結果と、その被処理水が沈殿池４０の出口まで到達したときの濁度とを比較した図である。
【図７】制御部１２０により実行される処理の流れの一例を示すフローチャートである。
【図８】表示画像（１）の一例を示す図である。
【図９】表示画像（２）の一例を示す図である。
【図１０】表示画像（３）の一例を示す図である。
【図１１】表示画像（４）の一例を示す図である。
【図１２】第２の実施形態に係る凝集剤注入率設定支援装置１００Ａの構成の一例を示す図である。
【図１３】推奨注入率算出部１２６による処理の内容を説明するための図である。
【図１４】推奨注入率算出部１２６による処理の流れの一例を説明するためのフローチャートである。
【発明を実施するための形態】
【０００８】
以下、実施形態の凝集剤注入率設定支援システム、凝集剤注入率設定支援方法、凝集剤注入率設定支援装置、および凝集剤注入率設定支援プログラムを、図面を参照して説明する。
【０００９】
（第１の実施形態）
図１は、第１実施形態に係る凝集剤注入率設定支援装置１００が適用される水処理施設１の構成の一例を示す図である。水処理施設１では、例えば、河川水や雨水、下水、工場排水等の被処理水が着水井１０に流入し、混和池２０、フロック形成池３０、沈殿池４０、ろ過池５０の順に水が流れ浄水配水池に貯えられて浄水として提供される。水処理施設１において、被処理水中の濁質粒子は、例えば、ｐｈ調整剤によってｐｈ調整された上で、凝集剤によって凝集および肥大化され、沈殿池４０で汚泥として沈殿し、分離される。
【００１０】
以下、水処理施設１の各部の機能について説明する。着水井１０は、処理すべき被処理水を取り込み、取り込んだ被処理水を、配管により接続される混和池２０へ送る。着水井１０には、被処理水水質計測装置１１が取り付けられる。被処理水水質計測装置１１は、被処理水のｐＨや濁度、アルカリ度、有機物濃度、水温等を計測し、計測結果（被処理水の水質情報）を凝集剤注入率設定支援装置１００に出力する。被処理水水質計測装置１１による計測項目は、任意に設定または切り替えできるようにしてよい。また、被処理水水質計測装置１１は、計測項目に応じた複数の装置を含む装置群であってよい。着水井１０と混和池２０との間の水路１２には、流量計１３が取り付けられる。流量計１３は、水路１２を流れる水の流量を計測し、凝集剤注入制御装置６０および凝集剤注入率設定支援装置１００に出力する。また、着水井１０と混和池２０との間の水路１２には、例えば、塩酸、硫酸、苛性ソーダ水溶液等のｐｈ調整剤が注入される。被処理水にｐｈ調整剤が注入された水は、混和池２０に導入される。
【００１１】
混和池２０では、凝集剤注入装置５５により、着水井１０から送られる被処理水に凝集剤が注入される。ここで、凝集剤とは、例えば、ポリ塩化アルミニウム（ＰＡＣ）や硫酸アルミニウム（硫酸ばんど）といったアルミ系の無機凝集剤が用いられる。このうち、浄水場においてはＰＡＣが主に用いられる。凝集剤注入装置５５は、凝集剤注入制御装置６０から入力される注入量を指定する情報に従って、凝集剤を混和池２０に注入する。混和池２０は、例えば、モータにより駆動される撹拌機２２を備える。混和池２０では、撹拌機２２により、被処理水と凝集剤との混和が促進される。被処理水と凝集剤との混和が促進されることで、被処理水中の汚濁物質が凝集してフロックが形成される。混和池２０は、被処理水と凝集剤とが混和された水を、形成されたフロックと共にフロック形成池３０へ送る。
【００１２】
フロック形成池３０では、混和池２０において形成されたフロックが凝集し、より大きなフロックを形成する。フロック形成池３０は、処理水を緩速撹拌する緩速撹拌装置３１を有する。緩速撹拌装置３１は、下流に向けて段階的に撹拌の強度が小さくなるように設定されている。これにより、処理水中のフロック同士の衝突が繰り返されることとなり、フロックが巨大化して沈降しやすくなる。フロック形成池３０は、フロックを含む処理水を沈殿池４０へ送る。
【００１３】
沈殿池４０では、フロック形成池３０から供給される水を所定時間（例えば３時間程度）以上、滞留することで、水に含まれるフロックが沈殿するようにしている。沈殿池４０は、所定時間以上滞留させた水をろ過池５０へ送る。沈殿池４０では、肥大化した凝集物が沈殿し、汚泥として取り出される。また、沈殿池４０には、処理水水質計測装置４１が取り付けられる。処理水水質計測装置４１は、沈殿池４０内の水（処理水）のｐＨや濁度や色度、有機物濃度等を計測し、計測結果（処理水の水質情報）を凝集剤注入率設定支援装置１００に出力する。
【００１４】
ろ過池５０では、例えば、砂ろ過により、沈殿池４０で沈殿除去されなかったフロックが除去される。ろ過池５０によりフロックが除去された清浄水は、図示しない浄水配水池において塩素による殺菌等が行われた後、配水管へと分配される。なお、ろ過池５０において、砂ろ過に通される前に適宜、オゾン処理や生物活性炭処理が施されたりする場合もある。
【００１５】
凝集剤注入制御装置６０は、注入率設定部６２と、プロセス制御部６４とを備える。注入率設定部６２は、例えば、専用キー、ダイヤルスイッチ、或いはタッチパネルやキーボード、マウスといった入力デバイスを含む。注入率設定部６２は、オペレータＯＰによる注入率の設定操作を受け付け、設定された注入率をプロセス制御部６４に出力する。プロセス制御部６４は、流量計１３から入力される水の流量に、注入率設定部６２から入力された凝集剤の注入率を乗算することで、凝集剤注入装置５５が混和池２０に注入する凝集剤の量を決定し、凝集剤注入装置５５に出力する。
【００１６】
また、水処理施設１は、ジャーテスト設備７０を備える。ジャーテスト設備７０では、凝集剤の注入率を段階的に変更した条件で、人手により又は機械によってビーカテストが行われる。ビーカテストは、着水井１０から採取された試料水に対し、例えば、２分程度の急速撹拌、１０分程度の緩速撹拌、１０分程度の静置時間を経て、ビーカの上澄みの濁度が計測される。凝集剤の注入率の設定値は、例えば、現在の実注入率を中央値に設定し、３ｍｇ／Ｌや５ｍｇ／Ｌといったスパン（刻み幅）で、前後２点程度、合計で５条件程度の注入率で行われる。この結果、ジャーテスト設備７０では、ある状態を有する試料水に対して、異なる注入率で凝集剤が注入された後の試料水の状態（濁度）が得られることになる。図２は、ジャーテスト設備７０におけるビーカテストにより得られる情報をグラフ化した図である。
【００１７】
凝集剤注入率設定支援装置１００は、入力部１０２と、表示部１０４と、記憶部１１０と、制御部１２０とを備える。入力部１０２は、キーボードやマウス、タッチパネル等の入力デバイスである。また、入力部１０２は、被処理水水質計測装置１１や流量計１３、処理水水質計測装置４１、ジャーテスト設備７０等との通信インターフェースを含んでもよい。表示部１０４は、例えば、ＬＣＤ（Liquid  Crystal  Display）や有機ＥＬ（Electroluminescence）表示装置等の表示装置である。表示部１０４は、携帯電話やタブレット端末等の携帯端末の表示部であってもよい。この場合、入力部１０２は、携帯端末の入力部（タッチパネル等）であってよい。また、記憶部１１０や制御部１２０は、携帯端末に内蔵されるものであってもよいし、一方または双方が携帯端末とは別体の装置内に設けられてもよい。
【００１８】
記憶部１１０は、例えば、ＲＡＭ（Random  Access  Memory）やＲＯＭ（Read  Only  Memory）、ＨＤＤ（Hard  Disk  Drive）、フラッシュメモリ等を含む。また、凝集剤注入率設定支援装置１００は、ＣＤ（Compact  Disc）やＤＶＤ（Digital  Versatile  Disc）、ＵＳＢ（Universal  Serial  Bus）メモリ、ＳＤカード等の可搬型記憶媒体が装着可能なドライブ部を備えてもよい。ドライブ部は、装着された可搬型記憶媒体からプログラムやデータを読み込み、記憶部１１０に記憶させる。また、記憶部１１０には、プロセスデータ１１２、ジャーテストデータ１１４、トレンドデータ１１６等のデータが記憶される。
【００１９】
制御部１２０は、データ管理部１２１と、ＵＩ（ユーザインターフェース）管理部１２２と、プロセスデータ抽出部１２３と、ジャーテストデータ抽出部１２４と、トレンドデータ抽出部１２５とを備える。制御部１２０の各構成要素は、例えば、ＣＰＵ（Central  Processing  Unit）等のプロセッサが記憶部１１０に記憶されたプログラムを実行することにより機能するソフトウェア機能部である。ＣＰＵ等が実行するプログラムは、凝集剤注入率設定支援装置１００の出荷時に予め記憶部１１０に記憶されていてもよいし、プログラムを記憶した可搬型記憶媒体がドライブ部に装着されることで記憶部１１０にインストールされてもよい。また、ＣＰＵ等が実行するプログラムは、インターネット等のネットワークを介して他のコンピュータからダウンロードされてもよい。また、制御部１２０の各構成要素のうち一部または全部は、ＬＳＩ（Large  Scale  Integration）やＡＳＩＣ（Application  Specific  Integrated  Circuit）等のハードウェア機能部であってもよい。
【００２０】
データ管理部１２１は、プロセスデータ１１２やジャーテストデータ１１４、トレンドデータ１１６を記憶部１１０に記憶させ、それらの対応付けを行う。図３は、プロセスデータ１１２として記憶されるデータの一例を示す図である。プロセスデータ１１２は、例えば、被処理水水質計測装置１１によって計測された被処理水のｐＨや濁度、アルカリ度、有機物濃度、水温の他、混和池２０での撹拌強度、処理水水質計測装置４１により計測される沈殿池４０内の処理水の濁度、滞留時間等を含んでよい。滞留時間は、例えば、着水井１０から流入する水が沈殿池４０に到達する（或いは沈殿池４０から流出する）までの時間であり、流量計１３から入力される水の流量に基づいて、データ管理部１２１により計算される。データ管理部１２１は、被処理水水質計測装置１１によって定期的に計測された各種計測値を、例えば計測時刻に対応付けて自動的にプロセスデータ１１２に記憶する。また、データ管理部１２１は、処理水水質計測装置４１により定期的に計測された計測値を、計測時刻から滞留時間分、遡った時刻に対応付けて自動的にプロセスデータ１１２に記憶させる。これによって、ある時点における被処理水の状態と、その被処理水に対して凝集剤の注入等の処理が行われて沈殿池４０に到達した処理水の状態とが、プロセスデータ１１２において対応付けられることになる。また、プロセスデータ１１２には、ジャーテストデータ１１４やトレンドデータ１１６との対応付けを示す情報（図中、ジャーテストデータＩＤ、トレンドデータＩＤ）が付与される。これによって、プロセスデータ１１２とジャーテストデータ１１４、およびプロセスデータ１１２とトレンドデータＩＤは、それぞれ、互いに対応付けられた対応データを形成する。図１では、プロセスデータ１１２とジャーテストデータ１１４が互いに対応付けられた対応データを、対応データ１１１と表記した。ジャーテストＩＤは、例えば、被処理水水質計測装置１１の計測時刻と、ジャーテストの開始時刻が一致する場合に、当該計測時刻を有するプロセスデータ１１２と、当該開始時刻を有するジャーテストデータ１１４とを対応付ける情報として、プロセスデータ１１２に付与されるものである。ここで「ジャーテストの開始時刻」とは、例えば、ジャーテスト用に着水井１０から試料水を採取した時刻を指す。また、トレンドデータＩＤは、例えば、被処理水水質計測装置１１の計測時刻から所定時間経過するまでの間に凝集剤の注入率が変更された場合に、当該計測時刻を有するプロセスデータ１１２と、当該凝集剤の注入率が変更された前後のトレンドデータ１１６とを対応付ける情報として、プロセスデータ１１２に付与されるものである。
【００２１】
図４は、ジャーテストデータ１１４として記憶されるデータの一例を示す図である。ジャーテストデータ１１４は、異なる凝集剤の注入率と、その結果として現れる濁度の組み合わせが、試料水の採取時刻およびジャーテストデータＩＤに対応付けられたデータである。データ管理部１２１は、例えば、ＵＩ管理部１２２が表示部１０４に表示させるジャーテストデータ入力用画面に対してオペレータＯＰが入力する情報を、ジャーテストデータ１１４として記憶部１１０に記憶させる。また、ジャーテスト設備７０が自動化された設備である場合、データ管理部１２１は、ジャーテスト設備７０から送信されてくるデータをジャーテストデータ１１４として記憶部１１０に記憶させてもよい。
【００２２】
図５は、トレンドデータ１１６として記憶されるデータの一例を示す図である。トレンドデータ１１６は、例えば、凝集剤の注入率が変更された前後における、被処理水水質計測装置１１により計測された被処理水の濁度と、処理水水質計測装置４１により計測された処理水の濁度の変化を示すデータであり、それぞれのデータにトレンドデータＩＤが付与されたものである。データ管理部１２１は、凝集剤注入制御装置６０から入力される凝集剤の注入率の推移を記憶部１１０に記憶しておき、凝集剤の注入率が変更される直前のプロセスデータ１１２と、凝集剤の注入率が変更された前後の処理水の濁度の変化とを対応付けて、トレンドデータ１１６として記憶部１１０に記憶させる。
【００２３】
ここで、従来行われている凝集剤の注入量決定手法について述べる。沈殿池４０の出口における濁度を良好な値（例えば、濁度０．５度程度）に保つための適切な凝集条件は、原水の水質変動に影響を受けて絶えず変化する。ここで、凝集剤の注入結果が、沈殿池４０の出口における濁度に反映されるまでの時間は、処理プロセスを流れている被処理水の滞留時間に依存し、一般的に３〜６時間程度である。このため、沈殿池４０の出口における濁度を計測し、その計測結果に基づいて凝集の良否を判断し、凝集剤の注入率を制御するのでは、原水の水質が刻一刻と変化している場合では、対応が遅くなってしまう。
【００２４】
水質変動が生じた際に対応を早くするため、原水の濁度及び水温等から凝集剤の注入率を演算するフィードフォワード制御（以下、ＦＦ制御）が用いられている場合がある。しかしながら、ＦＦ制御は、過去の経験に基づいてＦＦ制御の演算式を作成し、演算式に基づいて凝集剤の注入量を決定するため、演算式の作成に用いた過去の運転実績の影響を受ける。例えば、過去の運転実績が最適な注入量よりも多めであった場合、又は安全面を考慮して多めの注入を行っていた場合等には、それらを考慮しないと凝集剤の注入率が多めに演算される傾向がある。この結果、凝集剤の過剰注入を招き、凝集剤使用コストの増大をもたらしてしまう場合がある。過剰な凝集剤の使用は汚泥の増量につながるため、汚泥処理コストの増加、及び汚泥中のアルミ含有量増加により汚泥の再利用を妨げる等の弊害をもたらしてしまう。
【００２５】
従って、実際の浄水場では、前述したジャーテストが採用されることが多い。ジャーテストの利点としては、前述したＦＦ制御において、影響の度合いを正確に制御に取り込めていない、ｐＨ、水温、アルカリ度、並びに、懸濁物質及び有機物質の組成、といった凝集の良否を左右する原水の様々な水質特性に変化があった場合でも、その時その時の原水水質を用いてビーカテストで確認することにより、結果として得られる注入率がどういった原水水質の変化によるものかといった詳細な現象は把握できなくとも、その都度の水質の変化に応じた、ある程度最適な注入率を決定できることにある。
【００２６】
ジャーテストは、例えば１日１回、定刻に実施するケースや、原水の濁度が変化してきた時にだけ実施するケースがある。１日の中で原水の濁度が大きく変化し続けているケース、例えば大雨の時などに起こる急激な原水濁度の変化のケースでは、ジャーテストの間隔を短くして、１時間に１回といった高い頻度で行う場合もある。こういった場合は、過去の同様な原水変動が起きた際に、どの程度の注入率で処理を行ったかを参照して注入率を決定する場合もある。また、ジャーテストにおいては、凝集剤の注入率を変化させるだけでなく、実際の浄水場で採用しているｐＨ調整剤も同時に注入し、ｐＨ調整剤を併用したほうが良いかどうか、併用する場合の最適な注入率の検討、といった点まで試験する場合もある。
【００２７】
ところで、前述したように、ジャーテストでは、せいぜい３０分程度が経過した状態で濁度を計測するため、実際の水処理施設１における滞留時間が３〜６時間程度であることを考慮すると、沈殿池４０の出口における濁度は、ジャーテストの結果よりも低い値となる（より清浄である）ことが想定される。図６は、ある被処理水に対するジャーテストの結果と、その被処理水が沈殿池４０の出口まで到達したときの濁度とを比較した図である。図中、星印が、被処理水が沈殿池４０の出口まで到達したときの濁度を示しており、ジャーテストの結果よりも低い値となっている。
【００２８】
ここで、例えば「ジャーテストの結果が閾値未満となる最小の凝集剤の注入率を採用する」という制御条件を設定した場合、その閾値として、沈殿池４０の出口における許容濁度が用いられる場合がある。この場合、沈殿池４０の出口における濁度はジャーテストの結果よりも低くなる可能性が高いため、凝集剤の注入率が過大となる場合がある。図６の例では、例えば濁度の閾値を０．６［ｍｇ／Ｌ］とした場合、刻み幅を３［ｍｇ／Ｌ］とすると、それを満たす最小の凝集剤の注入率は２１［ｍｇ／Ｌ］となるが、凝集剤の注入率を１８［ｍｇ／Ｌ］とした場合でも、沈殿池４０の出口における濁度は０．６［ｍｇ／Ｌ］を下回るかも知れない。従って、ジャーテストの結果のみで凝集剤の注入率を決定する場合、凝集剤の注入率が過大となる場合がある。また、沈殿池４０の出口における濁度に基づいて凝集剤の注入率が過大かどうかを判断することも考えられるが、凝集剤が過剰に注入された場合の濁度の低下分は比較的小さい値として現れるため、係る判断は困難である。更に、実際の運用では、安全重視の考え方の下、凝集剤の注入不足で濁度が上昇するよりは、凝集剤を若干過剰に注入して濁度を低下させることを優先する方に偏りがちである。
【００２９】
そこで、本実施形態の凝集剤注入率設定支援装置１００は、リアルタイムに近い頻度（例えば、１０分に１回程度）で取得される被処理水水質計測装置１１の計測結果を含むデータ（参照データ）に近似するプロセスデータ１１２をプロセスデータ抽出部１２３が抽出し、抽出されたプロセスデータ１１２に対応付けられたジャーテストデータ１１４をジャーテストデータ抽出部１２４が抽出し、抽出されたジャーテストデータ１１４に基づく画像を、ＵＩ管理部１２２が生成して表示部１０４に表示させる。また、トレンドデータ抽出部１２５は、プロセスデータ抽出部１２３により抽出されたプロセスデータ１１２に対応付けられたトレンドデータ１１６を抽出し、抽出されたトレンドデータ１１６基づく画像を、ＵＩ管理部１２２が生成して表示部１０４に表示させる。これによって、表示部１０４に表示された画像を見たオペレータＯＰは、適切な凝集剤の注入率を設定するための情報を得ることができる。なお、参照データは、プロセスデータ１１２の全ての項目を備えるデータであってもよいし、プロセスデータ１１２の一部の項目のみ備えるデータであってもよい。
【００３０】
以下、制御部１２０による処理について、より詳細に説明する。図７は、制御部１２０により実行される処理の流れの一例を示すフローチャートである。まず、ＵＩ管理部１２２が、始動要求を受け付ける画面を表示し、オペレータＯＰにより始動要求がなされるまで待機する（ステップＳ２００）。
【００３１】
オペレータＯＰにより始動要求指示がなされると、プロセスデータ抽出部１２３が、直近で入力された被処理水水質計測装置１１の計測結果を含む参照データを生成し、参照データと近似するプロセスデータ１１２を抽出する（ステップＳ２０２）。近似するデータの抽出手法としては、種々の手法を用いることができるが、プロセスデータ抽出部１２３は、例えば、参照データとプロセスデータ１１２との自己相関を求め、自己相関が最も大きいプロセスデータ１１２を抽出するようにしてよい。また、個々のプロセスデータに「近似する」と見なすデータの範囲（幅）を設定しておき、参照データとプロセスデータの個々のデータにおいて、両者の差がこの範囲内であれば「近似する」と見なしてもよい。ここでデータの範囲はオペレータＯＰが任意に設定できるものとする。また、プロセスデータ抽出部１２３は、最も近似する１つのプロセスデータ１１２を抽出するのではなく、近似する順に複数のプロセスデータ１１２を抽出してもよい。
【００３２】
ＵＩ管理部１２２は、プロセスデータ抽出部１２３により抽出されたプロセスデータ１１２の一覧を、表示部１０４に表示させるようにしてよい。図８は、プロセスデータ抽出部１２３により抽出されたプロセスデータ１１２の一覧が表示される表示画像（１）の一例を示す図である。図示するように、表示部１０４には、例えば、現在の状態を示す参照データに近似する複数のプロセスデータ１１２が表示されてよい。以下、複数のプロセスデータ１１２が抽出されて表示されるものとして説明する。
【００３３】
フローチャートの説明に戻る。プロセスデータ１１２が抽出されると、ＵＩ管理部１２２は、オペレータＯＰによっていずれかのプロセスデータ１１２が選択されるまで待機する（ステップＳ２０４）。オペレータＯＰによっていずれかのプロセスデータ１１２が選択されると、ジャーテストデータ抽出部１２４が、選択されたプロセスデータ１１２に対応する（ジャーテストデータＩＤが一致する）ジャーテストデータ１１４を読み出す（ステップＳ２０６）。そして、ＵＩ管理部１２２は、読み出されたジャーテストデータ１１４に基づく画像を生成し、表示部１０４に表示させる（ステップＳ２０８）。
【００３４】
図８に示す表示画像（１）において、オペレータＯＰが、例えばプロセスデータＡを選択した場合、選択されたプロセスデータＡに対応するジャーテストデータ１１４が読み出され、読み出されたジャーテストデータ１１４に基づく画像がＵＩ管理部１２２によって生成され、表示部１０４に表示される。プロセスデータＡの選択は、マウスでクリック、矢印キーで選択、その位置にタッチすること等で行われる。
【００３５】
図９は、プロセスデータが選択されることで表示される表示画像（２）の一例を示す図である。図示するように、表示画像（２）は、オペレータＯＰによって選択されたプロセスデータ１１２に対応するジャーテストデータ１１４をグラフ化した画像を含む。また、このグラフ化された画像には、選択されたプロセスデータ１１２に含まれる（滞留時間経過後の）処理水の濁度の情報が示されると好適である。図中、星印は、プロセスデータ１１２に含まれる処理水の濁度、すなわちジャーテストの結果ではなく、そのジャーテストが実施されたものと同じ被処理水が、水処理施設１において実際に処理された処理水の濁度を示している。
【００３６】
次に、ＵＩ管理部１２２は、オペレータＯＰにより画面の切り替え操作がなされるまで待機する（ステップＳ２１０）。オペレータＯＰにより画面の切り替え操作がなされると、トレンドデータ抽出部１２５が、オペレータＯＰにより選択されたプロセスデータ１１２に対応付けられたトレンドデータ１１６を読み出す（ステップＳ２１２）。そして、ＵＩ管理部１２２は、読み出されたトレンドデータ１１６に基づく画像を生成し、表示部１０４に表示させる（ステップＳ２１４）。
【００３７】
図１０は、画面の切り替え操作がなされることで表示される表示画像（３）の一例を示す図である。図示するように、表示画像（３）は、オペレータＯＰによって選択されたプロセスデータ１１２に対応するトレンドデータ１１６をグラフ化した画像を含む。
【００３８】
なお、ジャーテストデータ１１４をグラフ化した画像は、オペレータによるプロセスデータ１１２の選択の有無に拘わらず、プロセスデータ抽出部１２３により抽出された全てのプロセスデータ１１２について生成され、表示されてもよい。図１１は、プロセスデータ抽出部１２３により抽出された全てのプロセスデータに対応するジャーテストデータ１１４がグラフ化された画像を含む表示画像（４）の一例を示す図である。図中、三角印や四角印は、プロセスデータ１１２とグラフの対応関係を示している。
【００３９】
以上のような処理によって、現在の被処理水の状態と近似した状態であったときのジャーテストの結果や、その被処理水が沈殿池４０の出口に到達したときの濁度等の情報をオペレータＯＰに提供することができる。この結果オペレータＯＰは、現在の被処理水の状態を総合的に判断し、凝集剤の注入率を適切に設定することができる。
【００４０】
なお、図７のフローチャートの説明では、ジャーテストデータ１１４に基づく画像を含む表示画像（２）から、トレンドデータ１１６に基づく画像を含む表示画像（３）に遷移するものとしたが、参照データに近似するプロセスデータ１１２が抽出された直後に、トレンドデータ１１６に基づく画像を含む表示画像（３）に遷移するように制御してもよい。また、図７のフローチャートの説明は、典型的な処理の流れを例示したものに過ぎず、表示画像（２）が表示された後に、プロセスデータ１１２の再抽出がオペレータＯＰによって指示されるのを受け付けるなど、処理のやり直しやスキップが適宜行われてよい。
【００４１】
以上説明した第１の実施形態の凝集剤注入率設定支援装置１００によれば、記憶部１１０に記憶されたプロセスデータ１１２やジャーテストデータ１１４を参照し、被処理水水質計測装置１１によって計測された被処理水の状態を含む参照データに近似するプロセスデータ１１２（第１のデータ）を抽出すると共に、抽出したプロセスデータ１１２に対応するジャーテストデータ１１４（第２のデータ）を記憶部１１０から読み出し、読み出したジャーテストデータ１１４に基づく画像を表示部１０４に表示させることにより、凝集剤の注入率が適切に設定されるように支援することができる。
【００４２】
（第２の実施形態）
以下、第２の実施形態に係る凝集剤注入率設定支援装置１００Ａについて説明する。図１２は、第２の実施形態に係る凝集剤注入率設定支援装置１００Ａの構成の一例を示す図である。なお、図１２では、図１に示すような凝集剤注入率設定支援装置の周辺環境についての図示を省略した。第２の実施形態に係る凝集剤注入率設定支援装置１００Ａは、第１の実施形態に係る凝集剤注入率設定支援装置１００と比較すると、推奨注入率算出部１２６を備える点で相違する。ここでは、係る相違点を中心に説明し、第１の実施形態との共通部分についての説明は省略する。
【００４３】
第２実施形態に係るＵＩ管理部１２２は、オペレータＯＰによる運転モードの選択を受け付ける画像を表示部１０４に表示させる。運転モードとしては、例えば、被処理水の濁度を低下させることを優先する水質安定優先モード、凝集剤の注入コストの削減を優先するコスト削減優先モード、その中間の推奨値モード等が用意される。
【００４４】
推奨注入率算出部１２６は、第１の実施形態で説明したようにオペレータＯＰによってプロセスデータ１１２が選択されると、そのプロセスデータ１１２に対応するジャーテストデータ１１４と、プロセスデータ１１２に含まれる処理水の濁度等に基づいて、凝集剤の推奨注入率を算出する。図１３は、推奨注入率算出部１２６による処理の内容を説明するための図である。図中のグラフは、オペレータＯＰによって選択されたプロセスデータ１１２に対応するジャーテストデータ１１４に基づくものであり、星印は、プロセスデータ１１２に含まれる処理水の濁度を示している。
【００４５】
また、図１４は、推奨注入率算出部１２６による処理の流れの一例を説明するためのフローチャートである。まず、推奨注入率算出部１２６は、ジャーテストの結果としての濁度のうち、その時点で設定されていた凝集剤の注入率に対応する濁度（図中ａ）と、処理水の濁度との差分（図中Ｄ）を算出する（ステップＳ３００）。次に、推奨注入率算出部１２６は、ジャーテストの結果としての濁度を、差分Ｄだけ下方に平行移動させる（ステップＳ３０２）。図１３における曲線ｂが、差分Ｄだけ下方に平行移動させた（水質が良好な側にシフトさせた）濁度曲線に相当する。
【００４６】
次に、推奨注入率算出部１２６は、差分Ｄだけ下方に平行移動させた濁度曲線と、濁度に対して設定されている閾値（図中ｃ）との交点を求め（ステップＳ３０４）、交点に対応する凝集剤の注入率（図中ｅ）を求める（ステップＳ３０６）。推奨注入率算出部１２６は、現在設定されている凝集剤の注入率（図１３では２１［ｍｇ／ｌ］）と、交点に対応する凝集剤の注入率ｅ（図１３では１７［ｍｇ／ｌ］）との差分を、注入率の最大削減幅Ｘとして算出し（ステップＳ３０８）、最大削減幅Ｘに対して運転モードに対応した係数Ｙを乗算した値を、推奨注入率Ｚとして算出する（ステップＳ３１０；式（１）参照）。
Ｚ＝（現在の凝集剤の注入率）―（最大削減幅Ｘ）×（係数Ｙ）  ‥（１）
【００４７】
ここで、係数Ｙは、例えば、水質安定優先モードが選択されている場合に最も小さい［０．２５］程度に設定され、コスト削減優先モードが選択されている場合に、最も大きい［１.０］程度に設定され、推奨値モードが選択されている場合に、中間の［０．５］程度に設定される。現在の凝集剤の注入率が２１［ｍｇ／ｌ］、注入率の最大削減幅Ｘが４［ｍｇ／ｌ］であれば、推奨注入率Ｚは、以下のように算出される。
・水質安定優先モード  ：Ｚ＝２１―４×０．２５＝２０［ｍｇ／ｌ］
・コスト削減優先モード：Ｚ＝２１―４×１．０  ＝１７［ｍｇ／ｌ］
・推奨値モード        ：Ｚ＝２１―４×０．５  ＝１９［ｍｇ／ｌ］
【００４８】
推奨注入率Ｚは、表示部１０４に表示されてオペレータＯＰに見せるようにしてもよいし、凝集剤注入制御装置６０に送信されて、自動的に注入率を設定するようにしてもよい。
【００４９】
以上説明した第２の実施形態に係る凝集剤注入率設定支援装置１００Ａによれば、第１の実施形態と同様の効果を奏する他、プロセスデータ１１２に対応するジャーテストデータ１１４と、プロセスデータ１１２に含まれる被処理水の濁度とに基づいて、凝集剤の推奨注入率を算出するため、経験の豊富なオペレータＯＰでなくても容易に、凝集剤の注入率が適切に設定されるように支援することができる。
【００５０】
以上説明した少なくともひとつの実施形態によれば、被処理水の状態を含むプロセスデータ１１２（第１のデータ）と、被処理水に対して凝集剤を注入した後の水の状態を凝集剤の注入率毎に計測した結果を示すジャーテストデータ１１４（第２のデータ）が、互いに対応付けられた対応データから、被処理水水質計測装置１１によって計測された被処理水の状態を含む参照データに近似するプロセスデータ１１２を抽出すると共に、抽出したプロセスデータ１１２に対応するジャーテストデータ１１４を記憶部１１０から読み出し、読み出したジャーテストデータ１１４に基づく画像を表示部１０４に表示させる機能を持つことにより、凝集剤の注入率が適切に設定されるように支援することができる。
【００５１】
なお、上記実施形態における凝集剤注入率設定支援装置１００または凝集剤注入率設定支援装置１００Ａに、被処理水水質計測装置１１や処理水水質計測装置４１を加えたものが、「凝集剤注入率設定支援システム」の一例である。また、処理水の濁度は、「処理水の状態」の一例である。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１…水処理施設、１０…着水井、１１…被処理水水質計測装置、１３…流量計、２０…混和池、３０…フロック形成池、４０…沈殿池、４１…処理水水質計測装置、５０…ろ過池、５５…凝集剤注入装置、６０…凝集剤注入制御装置、６２…注入率設定部、６４…プロセス制御部、７０…ジャーテスト設備、１００…凝集剤注入率設定支援装置、１０２…入力部、１０４…表示部、１１０…記憶部、１１２…プロセスデータ、１１４…ジャーテストデータ、１１６…トレンドデータ、１２０…制御部、１２１…データ管理部、１２２…ＵＩ管理部、１２３…プロセスデータ抽出部、１２４…ジャーテストデータ抽出部、１２５…トレンドデータ抽出部
【図２】
2015171678.tif 000003
【図３】
2015171678.tif 000004
【図４】
2015171678.tif 000005
【図５】
2015171678.tif 000006
【図６】
2015171678.tif 000007
【図７】
2015171678.tif 000008
【図８】
2015171678.tif 000009
【図９】
2015171678.tif 000010
【図１０】
2015171678.tif 000011
【図１１】
2015171678.tif 000012
【図１２】
2015171678.tif 000013
【図１３】
2015171678.tif 000014
【図１４】
2015171678.tif 000015
【図１】
2015171678.tif 000016